(57)【要約】【課題】  多量の情報を同封でき、かつ、送り手側でのカタログ等の冊子や案内状、返信用申込葉書等を送付するために封筒の準備、封筒への封入、封緘作業が不要であって、かつ、顧客側での開封が容易で保管し易く、さらに封入されている冊子の内容を盗み見されることのないＤＭとして郵送、あるいは、宅配可能な冊子状送付物の形態を提供する。【解決手段】  一対の矩形状の表紙片と裏紙片及び前記表紙片よりも一方の端部においては同一の幅を有し、該端部以外は狭い幅を有し、且つ長さも短い寸法の複数枚の本紙片からなり、前記表紙片と前記裏紙片との間に前記複数枚の本紙片を挟み、一方の端部に設けられた綴じ部で揃えて綴じられた冊子状送付物であって、前記表紙片及び前記裏紙片の前記綴じ部を除く周縁に封緘部を備え、該封緘部にて接着すると共に、前記表紙片及び前記裏紙片の前記綴じ部の内縁に開封用ミシン目が設けられていることを特徴とする。【選択図】        図１
2008006666.tif 000002
【特許請求の範囲】
【請求項１】
一対の矩形状の表紙片と裏紙片及び前記表紙片よりも一方の端部においては同一の幅を有し、該端部以外は狭い幅を有し、且つ長さも短い寸法の複数枚の本紙片からなり、前記表紙片と前記裏紙片との間に前記複数枚の本紙片を挟み、一方の端部に設けられた綴じ部で揃えて綴じられた冊子状送付物であって、前記表紙片及び前記裏紙片の前記綴じ部を除く周縁に封緘部を備え、該封緘部にて接着すると共に、前記表紙片及び前記裏紙片の前記綴じ部の内縁に開封用ミシン目が設けられていることを特徴とする冊子状送付物。
【請求項２】
前記表紙片に送り先、宛名が印字されていることを特徴とする請求項１記載の冊子状送付物。
【発明の詳細な説明】
【技術分野】
【０００１】
本発明は、商品カタログ、パンフレット等を冊子の状態で郵送、あるいは、宅配することができ、受け取った顧客が容易に開封できる封緘した冊子状送付物に関し、特に、ダイレクトメールに適した冊子状送付物に関するものである。
【背景技術】
【０００２】
従来より、商品又は役務の内容を記載した冊子（カタログ、パンフレット等）は、種々の分野で広く利用されている。例えば、特定の顧客向けサービスとしてデパートなどが行うギフト商品の紹介、旅行会社が行う旅行案内、あるいは、通販会社等で、過去に注文を受けた顧客等に対して、ダイレクトメール（以下、ＤＭと呼称する）等が近年盛んに採り入れられている。ＤＭで多くの商品、役務等の情報を顧客に届ける場合、通常は封筒の中にカタログ等の冊子や案内状、返信用申込葉書等を同封して郵送、あるいは、宅配することが一般的に行われている。そのために、デパートや旅行会社、通販会社といった送り手側では一度に多くの情報を顧客に提供することができ、結果として顧客側への宣伝効果の高いものとなっている。
【０００３】
しかしながら、送り手側では、前述の冊子を顧客に送付するには、封筒を準備する作業、封筒にカタログ等の冊子や案内状、返信用申込葉書等を封入し封緘する等の人手で行う煩雑な作業がある。また、これらのカタログ等の冊子や案内状、返信用申込葉書等の入った封筒を受け取った顧客側では、届けられた封筒を鋏等で開封して、封筒の中に入れられたカタログ等の冊子や案内状、返信用申込葉書等を封筒より取り出して内容を確認しなければならず、この封筒の開封や内容の確認に結構手間のかかるものであった。さらに、開封した後のカタログ等の冊子や案内状、返信用申込葉書等が散逸し易く、保管にも注意を要するものであった。
【０００４】
そこで、同じ大きさの一対の矩形状表紙片と、該矩形状表紙片と一方向が同寸で他方向が小寸に形成された複数枚の矩形状冊子紙片とからなり、一対の矩形状表紙片の間に複数枚の矩形状冊子紙片を同寸なそれぞれの一方の端辺がいずれの方向においてもほぼ一致するようにして一方の端辺側を綴じ合わせると共に、一方の端辺と対向する位置にある一対の矩形状表紙片の他方の端辺部を分離可能に封着した冊子入り封書が提案されている（例えば、特許文献１参照）。
【０００５】
しかし、前記冊子入り封書により送り手側の煩雑な作業が解消されたが、受取り手は開封に際して封着部分を開封するために設けられたミシン目に沿ってこの封書を切り取って開封する必要があり、ミシン目に沿うように慎重に開封しなければならず、ワンアクションで開封ができず、開封に手間がかかるという問題があり、また、封書の形態が筒状に封緘されている形態であり、矩形状表紙片より他方向が小寸に形成された複数枚の矩形状冊子紙片の両端辺は綴じ部がなく、開放されているために、封入されている冊子を盗み見ることも可能であり、個人情報など、重要な情報を送付するには機密性に問題がある。
【特許文献１】特開２００１−３０１３６８号公報
【発明の開示】
【発明が解決しようとする課題】
【０００６】
そこで本発明は、上記の問題点に鑑みてなされたものであり、多量の情報を同封でき、かつ、送り手側でのカタログ等の冊子や案内状、返信用申込葉書等を送付するために封筒の準備、封筒への封入、封緘作業が不要であって、かつ、顧客側での開封が容易で保管し易く、さらに封入されている冊子の内容を盗み見されることのないＤＭとして郵送、あるいは、宅配可能な冊子状送付物の形態を提供することである。
【課題を解決するための手段】
【０００７】
本発明は、上記課題を達成するために、請求項１記載の本発明の冊子状送付物は、一対の矩形状の表紙片と裏紙片及び前記表紙片よりも一方の端部においては同一の幅を有し、該端部以外は狭い幅を有し、且つ長さも短い寸法の複数枚の本紙片からなり、前記表紙片と前記裏紙片との間に前記複数枚の本紙片を挟み、一方の端部に設けられた綴じ部で揃えて綴じられた冊子状送付物であって、前記表紙片及び前記裏紙片の前記綴じ部を除く周縁に封緘部を備え、該封緘部にて接着すると共に、前記表紙片及び前記裏紙片の前記綴じ部の内縁に開封用ミシン目が設けられていることを特徴とするものである。
【０００８】
また、請求項２記載の本発明は、請求項１記載の冊子状送付物において、前記表紙片に送り先、宛名が印字されていることを特徴とするものである。
【発明の効果】
【０００９】
本発明は、表紙片と裏紙片との間に複数枚の本紙片を挟み、一方の端部に設けられた綴じ部で揃えて綴じられており、表紙片及び裏紙片の綴じ部を除く周縁に封緘部を備え、該封緘部にて接着して封書の形態とすることにより、個人情報等重要情報の機密化が図れ、顧客に安心して郵送、あるいは宅配ができ、顧客にも安心感を与えると共に、また、表紙片及び裏紙片の綴じ部の内縁に開封用ミシン目を設けることにより、開封片予定部を摘んで引張ることにより、ワンアクションで顧客が手で容易に開封できるという効果を奏するものである。
【００１０】
また、冊子状の形態にすることにより、カタログ等の情報を大量に顧客へ提供でき、封筒を準備する作業、封筒にカタログ等の冊子や案内状、返信用申込葉書等を封入する作業、封緘作業が不要となり、省人化、合理化が図れると共に、情報の丁合漏れを防ぐことができるという効果がある。さらには、情報の増減が容易にできるものである。
【００１１】
また、顧客は冊子状送付物を受取り、開封後も、端部に設けられた綴じ部で綴じられているために、見開き状態にして各紙片に記載された情報を見やすく、また、見終わった後も紙片が散逸することがなく、保管し易いという効果がある。
【発明を実施するための最良の形態】
【００１２】
以下、図面を参照しながら本発明の一実施形態について、説明する。
図１は本発明に係る冊子状送付物の一実施形態を示す平面図、図２は図１の分解斜視図、図３は図１におけるＸ−Ｘ断面図、図４は本発明に係る冊子状送付物の開封方法を説明する斜視図を示す。図中の１は冊子状送付物、２は接着部、３は綴じ部、４は封緘部、５は開封用ミシン目、６は接着剤、７はミシン目、８は開封片予定部、９は開封片、１０は冊子、１１は袋、２０は表紙片、２１は差出料金表示、２２は送り先、宛名記載部、２３は広告表示部、２４は差出人記載部、３０は裏紙片、１０１、１０２、１０３は本紙片をそれぞれ示す。
【００１３】
図１は本発明に係る冊子状送付物の一実施形態を示す平面図であって、表紙片から見た図である。図１に示すように本発明の冊子状送付物１は、表紙片２０の上面には差出料金表示２１や受取人である顧客の送り先、宛名記載部２２や提供する情報の広告表示部２３や送り手の社名を記載する差出人記載部２４等が表示されている。
【００１４】
また、冊子状送付物１は、これを受取った顧客が、該冊子状送付物を容易に開封することができるように表紙片２０及び裏紙片３０（図２参照）に開封用ミシン目５が設けられ、さらに開封用ミシン目５と綴じ部３で挟まれた区画からなる開封片予定部８、８（図２参照）を備え、該開封用ミシン目５で切離され冊子状送付物１を開封することにより中に収納された冊子に掲載された各種情報を閲覧できるようになっている。
【００１５】
次に、図２、図３を用いて本発明の冊子状送付物１の構造について説明する。図２は図１の分解斜視図、図３は図１のＸ−Ｘ線の断面図であって、冊子状送付物１は、図２に示すように一対の矩形状の表紙片２０と略同じサイズの矩形状の裏紙片３０と、表紙片２０と裏紙片３０との間に挟まれた表紙片２０よりも一方の端部においては同一の幅を有し、この端部以外は狭い幅を有し、且つ長さも短い寸法の複数枚の本紙片１０１、１０２、１０３、・・・・とから構成され、一方の端部で揃えて、この一方の端部に設けた接着部２を介して綴じ合わせて綴じ部３となしたものである。さらに表紙片２０及び裏紙片３０の綴じ部３を除く周縁に封緘部４を備え、該封緘部４に接着剤６（図３参照）を塗布して表紙片２０と裏紙片３０とを接着させて、冊子が封緘されている。このような構成にすることにより封入されている冊子を他人に盗み見されることもなく個人情報等重要情報の機密化が図れ、顧客に安心して郵送できると共に、顧客にも安心感を与えるものである。また、表紙片２０及び裏紙片３０の綴じ部３の内縁に開封用ミシン目５が設けられ、後述する方法で容易に、冊子と表紙片２０及び裏紙片３０とが切離されて容易に冊子が取出せるようになっている。さらに、本紙片１０１、１０２、１０３、・・・・の接着部２の内縁にミシン目７がそれぞれに設けられ、切取り可能にしている。例えば、申込葉書等が綴じ込まれていたり、顧客の興味をひく情報を取出したいときに、切取りできるものである。
【００１６】
また、図示はしないが、冊子状送付物１を構成する表紙片２０、裏紙片３０、本紙片１０１、１０２、１０３、・・・・には、通常それぞれの両面に、送り手側が顧客に提供したい情報、例えば、各種の商品紹介、サービス内容あるいは、顧客が送り手に返信する申込葉書等が掲載されて綴じられている。次に、これらの紙片から本発明の冊子状送付物１を製造する一方法について説明する。これらの紙片は製造時において、図２に示す裏紙片３０に備えられた対向する封緘部４、４方向にそれぞれ連続したシートであって、且つ、綴じ部３側の端縁には、移送孔を有するマージナル部（図示しない）が設けられ、この移送孔でシートが連続的に送られるようになっている。まず、表紙片２０、裏紙片３０、本紙片１０１、１０２、１０３、・・・・は、それぞれの紙片単位で片面もしくは両面に印刷見当合せして印刷されるとともに、綴じ部側の端縁に前記移送孔が設けられる。印刷後、コレーター（丁合機）には、表紙片２０の連続シート、裏紙片３０の連続シート、本紙片１０１、１０２、１０３、・・・・の連続シートが配され、まずそれぞれの本紙片１０１、１０２、１０３、・・・・が、それぞれの本紙片１０１、１０２、１０３、・・・・に設けられた移送孔をコレーターのトラックピンに係合させて移送され、丁合されて接着部２にライングルーを塗布して接着させて綴じられる。而してコの字形状の抜き刃を有するロータリーカッターで図２の本紙片のように表紙片２０、裏紙片３０より綴じ部３以外は狭い幅で、且つ長さの短い寸法に打抜かれ、綴じ部３が連続した櫛形状のシートとなし、さらに表紙片２０、裏紙片３０が、それぞれに設けられた移送孔をプリンターやコレーターのトラクタピンと係合させて移送され、表紙片２０又は裏紙片３０のいずれかの封緘部４に、該封緘部４に対応する例えばフレキソ版を用いて酢酸ビニル系、アクリル系、ゴム系等の接着剤６をパターン状に塗布すると共に、それぞれの接着部２、２にライングルーを塗布して接着させて、綴じ部３で綴じると共に、表紙片２０及び裏紙片３０に備えられた封緘部４、４を接着させて封緘する。その後にマージナル部が取り除かれると共に綴じ部３と直交する方向が所定寸法に裁断されて図１に示すような冊子状送付物１となる。このように冊子状の封緘物とすることにより、送り手が行っていた封筒を準備する作業、封入する作業、封緘作業が不要となり、省人化、合理化が図れると共に、情報の丁合漏れを防ぐことができる。さらには、顧客に大量の情報が提供できるとともに、情報が容易に増減できるものである。
【００１７】
次に、図１、図４を用いて、本発明の冊子状送付物１の使用方法について説明する。図１に示すように本発明の冊子状送付物１が届けられた顧客は、冊子状送付物１の表紙片２０及び裏紙片３０（図２参照）に設けられた開封片予定部８、８（切離し後は不適切な表現となるために開封片９、９と呼称する）を手指で摘み、開封用ミシン目５を折り曲げて、開封用ミシン目５を切離し、図４に示すように表紙片２０及び裏紙片３０に開封片９、９を形成し、該開封片９、９を一方の手指で摘み、他方の手指で表紙片２０及び裏紙片３０を摘み相反する方向に引張ると開封用ミシン目５で表紙片２０及び裏紙片３０が切離されて、表紙片２０及び裏紙片３０に形成された開封片９、９の間に挟まれた本紙片１０１、１０２、１０３、・・・・とで構成される冊子１０と封緘部４で接着された表紙片２０及び裏紙片３０で形成される袋１１とに分離されて冊子１０を取出すことができるものである。なお、本紙片１０１、１０２、１０３、・・・・のミシン目７（図２参照）は、開封用ミシン目５を切離す動作において、分離してはならず、開封用ミシン目５に比べて、カット部の長さが相対的に短くなっている。また、ミシン目７は開封用ミシン目５の位置と一致させているが、開封用ミシン目５をミシン目７よりも綴じ部３側あるいは綴じ部３から遠ざかる位置にシフトさせることにより、開封用ミシン目５で折り曲げてもミシン目７は切離されないようにもできる。さらに、ミシン目７は、補助手段であって、ミシン目以外にも切離し位置を示す切り取り線を印刷したものであってもよく、申込葉書やクーポン券等の更なる切離しを必要としない一般的な冊子の頁であればミシン目や切取線は不要となる。
【００１８】
また、取出した冊子１０は、綴じ部３を綴じ元として見開き状に各頁を開くことができ見やすく、また見終わった後も綴じられているために散逸することがなく、保管し易いものである。さらに、本紙片１０１、１０２、１０３、・・・・にはミシン目７が設けられており、必要な情報を切取ることが可能である。
【図面の簡単な説明】
【００１９】
【図１】本発明に係る冊子状送付物の一実施形態を示す平面図である。
【図２】図１の分解斜視図である。
【図３】図１におけるＸ−Ｘ断面図である。
【図４】本発明に係る冊子状送付物の開封方法を説明する斜視図である。
【符号の説明】
【００２０】
１                                      冊子状送付物
２                                      接着部
３                                      綴じ部
４                                      封緘部
５                                      開封用ミシン目
６                                      接着剤
７                                      ミシン目
８                                      開封片予定部
９                                      開封片
１０                                    冊子
１１                                    袋
２０                                    表紙片
２１                                    差出料金表示
２２                                    送り先、宛名記載部
２３                                    広告表示部
２４                                    差出人記載部
３０                                    裏紙片
１０１、１０２、１０３                  本紙片
【図１】
2008006666.tif 000003
【図２】
2008006666.tif 000004
【図３】
2008006666.tif 000005
【図４】
2008006666.tif 000006